【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
複数の機器に蓄積されている多数のコンテンツを管理するコンテンツ・マネジメント・システムであって、
ユーザが所望のコンテンツへと導くビューイング・スタイルとコンテンツの検索条件を指定するコマンド入力手段と、
指定されたビューイング・スタイルに応じた画面フォーマットを生成する画面フォーマット生成手段と、
指定された検索条件に従って、コンテンツを蓄積する複数の機器からなるコンテンツ提供空間を探索するコンテンツ探索手段と、
前記コンテンツ探索手段により取り出された各コンテンツに関する情報を前記画面フォーマットの上にそれぞれマッピングして表示出力するコンテンツ提示手段と、
を具備することを特徴とするコンテンツ・マネジメント・システム。
【請求項２】
前記コマンド入力手段を介して、５Ｗ１Ｈを手がかりとして所望のコンテンツへ導くビューイング・スタイルが指定されたことに応答して、
前記画面フォーマット生成手段は、５Ｗ１Ｈに従って各コンテンツを配置するための画面フォーマットを生成する、
ことを特徴とする請求項１に記載のコンテンツ・マネジメント・システム。
【請求項３】
前記コマンド入力手段を介して、５Ｗ１ＨのうちＷｈｅｎを手がかりとして所望のコンテンツへ導くビューイング・スタイルが指定されたことに応答して、
前記画面フォーマット生成手段は、１月の日々を七曜によって配列した表形式でコンテンツを分類・整理して提示するカレンダ・ビューを画面フォーマットとして生成し、
前記コンテンツ提示手段は、各コンテンツの代表フレームを該当する日付カラムにマッピングする、
ことを特徴とする請求項２に記載のコンテンツ・マネジメント・システム。
【請求項４】
カレンダ・ビュー上で特定の日付が選択されたことに応答して、その日付のカラムを拡大し該日付カラム内のコンテンツの代表フレームが拡大して表示するとともに、周辺の日付カラムを縮小する、
ことを特徴とする請求項３に記載のコンテンツ・マネジメント・システム。
【請求項５】
前記コマンド入力手段を介して、５Ｗ１ＨのうちＷｈｅｒｅを手がかりとして所望のコンテンツへ導くビューイング・スタイルが指定されたことに応答して、
前記画面フォーマット生成手段は、世界地図や日本地図など地理的情報に則ってコンテンツを分類・整理して提示するマップ・ビューを画面フォーマットとして生成し、
前記コンテンツ提示手段は、各コンテンツの代表フレームを該当する地点にマッピングする、
ことを特徴とする請求項２に記載のコンテンツ・マネジメント・システム。
【請求項６】
地図を準えたマップ・ビューは、所定の緯度及び経度毎に分割した複数のセルで構成され、各セルは該当する地点に関連付けられたコンテンツを載せる台座として機能する、
ことを特徴とする請求項５に記載のコンテンツ・マネジメント・システム。
【請求項７】
選択された台座を拡大し、該台座に載せられているアイコンが拡大して表示するとともに、周辺の台座は縮小する、
ことを特徴とする請求項６に記載のコンテンツ・マネジメント・システム。
【請求項８】
前記コマンド入力手段を介して、より多くのコンテンツを提示するビューイング・スタイルが指定されたことに応答して、
前記画面フォーマット生成手段は、コンテンツのアイコンを格子状に整然と配置するためのマトリックス・ビューを画面フォーマットとして生成する、
ことを特徴とする請求項１に記載のコンテンツ・マネジメント・システム。
【請求項９】
マトリックス・ビュー上で特定のコンテンツのアイコンが選択されたことに応答して、該アイコンが拡大し若しくは原画像サイズになるとともに、周囲のアイコンを淡色表示することにより、選択したコンテンツを強調して見せる、
ことを特徴とする請求項８に記載のコンテンツ・マネジメント・システム。
【請求項１０】
前記コマンド入力手段を介して、コンテンツのタイトルなどの属性情報を手がかりとするためのビューイング・スタイルが指定されたことに応答して、
前記画面フォーマット生成手段は、コンテンツの代表フレーム、タイトル、日付などを含んだバナーの一覧表からなるリスト・ビューを画面フォーマットとして生成する、
ことを特徴とする請求項１に記載のコンテンツ・マネジメント・システム。
【請求項１１】
リスト・ビュー上で、特定のバナーが選択されたことに応答して該バナーが拡大するとともに、他のバナー表示を縮小することにより、選択したコンテンツを強調して見せる、
ことを特徴とする請求項１０に記載のコンテンツ・マネジメント・システム。
【請求項１２】
前記コマンド入力手段を介して、検索条件を手がかりとするためのビューイング・スタイルが指定されたことに応答して、
前記画面フォーマット生成手段は、ユーザが指定した検索条件をシェルフ毎に割り当てるビュー・スタイルを持つシェルフ・ビューを画面フォーマットとして生成する、
ことを特徴とする請求項１に記載のコンテンツ・マネジメント・システム。
【請求項１３】
各シェルフは、登録された検索条件に基づいて抽出されたコンテンツへの参照情報を持ち、シェルフを開ける度に検索条件に従ったコンテンツ提供空間の探索を行ない、コンテンツへの参照情報が更新される、
ことを特徴とする請求項１２に記載のコンテンツ・マネジメント・システム。
【請求項１４】
シェルフを開けても、シェルフの更新を禁止する手段をさらに備える、
ことを特徴とする請求項１３に記載のコンテンツ・マネジメント・システム。
【請求項１５】
所望のシェルフを選択したことに応答して該シェルフが拡大するとともに、他のシェルフの表示を縮退させることにより、選択したシェルフを強調して見せる、
ことを特徴とする請求項１２に記載のコンテンツ・マネジメント・システム。
【請求項１６】
未使用のシェルフに検索条件を設定して新規シェルフを登録する手段をさらに備える、
ことを特徴とする請求項１２に記載のコンテンツ・マネジメント・システム。
【請求項１７】
前記コンテンツ提示手段は、各コンテンツに関する情報として代表フレームとともにメディアの種別を併せて表示出力する、
ことを特徴とする請求項１に記載のコンテンツ・マネジメント・システム。
【請求項１８】
複数の機器に蓄積されている多数のコンテンツを管理するコンテンツ・マネジメント方法であって、
ユーザが所望のコンテンツへと導くビューイング・スタイルとコンテンツの検索条件を指定するコマンド入力ステップと、
指定されたビューイング・スタイルに応じた画面フォーマットを生成する画面フォーマット生成ステップと、
指定された検索条件に従って、コンテンツを蓄積する複数の機器からなるコンテンツ提供空間を探索するコンテンツ探索ステップと、
前記コンテンツ探索ステップにおいて取り出された各コンテンツに関する情報を前記画面フォーマットの上にそれぞれマッピングして表示出力するコンテンツ提示ステップと、
を具備することを特徴とするコンテンツ・マネジメント方法。
【請求項１９】
前記コマンド入力手段ステップにおいて５Ｗ１Ｈを手がかりとして所望のコンテンツへ導くビューイング・スタイルが指定されたことに応答して、前記画面フォーマット生成ステップでは、５Ｗ１Ｈに従って各コンテンツを配置するための画面フォーマットを生成する、
ことを特徴とする請求項１８に記載のコンテンツ・マネジメント方法。
【請求項２０】
前記コマンド入力ステップにおいて５Ｗ１ＨのうちＷｈｅｎを手がかりとして所望のコンテンツへ導くビューイング・スタイルが指定されたことに応答して、前記画面フォーマット生成ステップでは１月の日々を七曜によって配列した表形式でコンテンツを分類・整理して提示するカレンダ・ビューを画面フォーマットとして生成し、前記コンテンツ提示ステップでは各コンテンツの代表フレームを該当する日付カラムにマッピングする、
ことを特徴とする請求項１９に記載のコンテンツ・マネジメント方法。
【請求項２１】
カレンダ・ビュー上で特定の日付が選択されたことに応答して、その日付のカラムを拡大し、該日付コンテンツの代表フレームが拡大して表示するとともに、周辺の日付カラムを縮小するステップをさらに備える、
ことを特徴とする請求項２０に記載のコンテンツ・マネジメント方法。
【請求項２２】
前記コマンド入力ステップにおいて５Ｗ１ＨのうちＷｈｅｒｅを手がかりとして所望のコンテンツへ導くビューイング・スタイルが指定されたことに応答して、前記画面フォーマット生成ステップでは世界地図や日本地図など地理的情報に則ってコンテンツを分類・整理して提示するマップ・ビューを画面フォーマットとして生成し、前記コンテンツ提示ステップでは各コンテンツの代表フレームを該当する地点にマッピングする、
ことを特徴とする請求項１９に記載のコンテンツ・マネジメント方法。
【請求項２３】
地図を準えたマップ・ビューは、所定の緯度及び経度毎に分割した複数のセルで構成され、各セルは該当する地点に関連付けられたコンテンツを載せる台座として機能し、選択された台座を拡大して該台座に載せられているアイコンを拡大して表示するとともに、周辺の台座を縮小するステップをさらに備える
ことを特徴とする請求項２２に記載のコンテンツ・マネジメント方法。
【請求項２４】
前記コマンド入力ステップにおいてより多くのコンテンツを提示するビューイング・スタイルが指定されたことに応答して、前記画面フォーマット生成ステップでは、コンテンツのアイコンを格子状に整然と配置するためのマトリックス・ビューを画面フォーマットとして生成する、
ことを特徴とする請求項１８に記載のコンテンツ・マネジメント方法。
【請求項２５】
マトリックス・ビュー上で特定のコンテンツのアイコンが選択されたことに応答して、該アイコンが拡大し若しくは原画像サイズになるとともに、周囲のアイコンを淡色表示することにより、選択したコンテンツを強調して見せるステップをさらに備える、
ことを特徴とする請求項２４に記載のコンテンツ・マネジメント方法。
【請求項２６】
前記コマンド入力ステップにおいてコンテンツのタイトルなどの属性情報を手がかりとするためのビューイング・スタイルが指定されたことに応答して、前記画面フォーマット生成ステップでは、コンテンツの代表フレーム、タイトル、日付などを含んだバナーの一覧表からなるリスト・ビューを画面フォーマットとして生成する、
ことを特徴とする請求項１８に記載のコンテンツ・マネジメント方法。
【請求項２７】
リスト・ビュー上で、特定のバナーが選択されたことに応答して該バナーが拡大するとともに、他のバナー表示を縮小することにより、選択したコンテンツを強調して見せるステップをさらに備える、
ことを特徴とする請求項２６に記載のコンテンツ・マネジメント方法。
【請求項２８】
前記コマンド入力ステップにおいて検索条件を手がかりとするためのビューイング・スタイルが指定されたことに応答して、前記画面フォーマット生成ステップでは、ユーザが指定した検索条件をシェルフ毎に割り当てるビュー・スタイルを持つシェルフ・ビューを画面フォーマットとして生成する、
ことを特徴とする請求項１８に記載のコンテンツ・マネジメント方法。
【請求項２９】
各シェルフは、登録された検索条件に基づいて抽出されたコンテンツへの参照情報を持ち、
シェルフを開ける度に検索条件に従ったコンテンツ提供空間の探索を行ない、コンテンツへの参照情報が更新するステップをさらに備える、
ことを特徴とする請求項２８に記載のコンテンツ・マネジメント方法。
【請求項３０】
シェルフを開けても、シェルフの更新を禁止するステップをさらに備える、
ことを特徴とする請求項２９に記載のコンテンツ・マネジメント方法。
【請求項３１】
所望のシェルフを選択したことに応答して該シェルフが拡大するとともに、他のシェルフの表示を縮退させることにより、選択したシェルフを強調して見せるステップをさらに備える、
ことを特徴とする請求項２８に記載のコンテンツ・マネジメント方法。
【請求項３２】
未使用のシェルフに検索条件を設定して新規シェルフを登録するステップをさらに備える、
ことを特徴とする請求項２８に記載のコンテンツ・マネジメント方法。
【請求項３３】
前記コンテンツ提示ステップでは、各コンテンツに関する情報として代表フレームとともにメディアの種別を併せて表示出力する、
ことを特徴とする請求項１８に記載のコンテンツ・マネジメント方法。
【請求項３４】
複数の機器に蓄積されている多数のコンテンツを管理するための処理をコンピュータ・システム上で実行するようにコンピュータ可読形式で記述されたコンピュータ・プログラムであって、前記コンピュータ・システムに対し、
ユーザが所望のコンテンツへと導くビューイング・スタイルとコンテンツの検索条件を指定するコマンド入力手順と、
指定されたビューイング・スタイルに応じた画面フォーマットを生成する画面フォーマット生成手順と、
指定された検索条件に従って、コンテンツを蓄積する複数の機器からなるコンテンツ提供空間を探索するコンテンツ探索手順と、
前記コンテンツ探索手順において取り出された各コンテンツに関する情報を前記画面フォーマットの上にそれぞれマッピングして表示出力するコンテンツ提示手順と、
を実行させることを特徴とするコンピュータ・プログラム。